(57)【特許請求の範囲】
【請求項１】
複数の店舗の中から店舗を特定する店舗ＩＤを含む店舗ＩＤデータと商品に関連するキーワードを含むキーワードデータとを取得する店舗ＩＤキーワード取得部と、
前記複数の店舗が発注可能な複数の前記商品の第１商品名及び／又は前記複数の店舗が在庫管理可能な複数の前記商品の第１商品名を含む第１商品名データを記憶する記憶部と、
前記記憶部により記憶されている前記第１商品名データ、前記店舗ＩＤキーワード取得部により取得された前記店舗ＩＤデータ及び前記店舗ＩＤキーワード取得部により取得された前記キーワードデータに基づいて、前記第１商品名データに含まれている前記複数の第１商品名の中から前記キーワードデータに含まれている前記キーワードに関連する前記第１商品名を選択することにより選択商品名データを生成する選択商品名データ生成部と、
前記選択商品名データ生成部が生成した前記選択商品名データを出力する出力部と、
を備えており、
前記選択商品名データ生成部は、第１店舗ＩＤを含む前記店舗ＩＤデータ及び第１キーワードを含む前記キーワードデータに基づいて生成した前記選択商品名データと、前記第１店舗ＩＤとは異なる第２店舗ＩＤを含む前記店舗ＩＤデータ及び前記第１キーワードを含む前記キーワードデータに基づいて生成した前記選択商品名データとが異なるように、前記選択商品名データを生成し、
前記商品を発注する商品発注機能及び／又は前記商品の在庫を管理する商品在庫管理機能を備え、前記複数の店舗により利用される、データ処理装置。
【請求項２】
第１商品名は、第２商品名及び前記第２商品名とは異なる第３商品名を含んでおり、
前記選択商品名データ生成部は、前記記憶部により記憶されている前記第１商品名データ、前記店舗ＩＤキーワード取得部により取得された前記店舗ＩＤデータ及び前記店舗ＩＤキーワード取得部により取得された前記キーワードデータに基づいて、前記店舗ＩＤキーワード取得部により取得された前記店舗ＩＤデータに含まれる前記店舗ＩＤに関連付けられた前記第２商品名及び／又は前記第３商品名の中から前記キーワードデータに含まれている前記キーワードに関連する前記第２商品名及び／又は前記第３商品名を選択することにより選択商品名データを生成する、
請求項１に記載のデータ処理装置。
【請求項３】
前記記憶部により記憶されている前記第１商品名データに含まれる前記第３商品名が変更可能である、
請求項２に記載のデータ処理装置。
【請求項４】
前記記憶部により記憶されている前記第１商品名データに含まれる前記第３商品名が、前記第３商品名に関連付けられている前記店舗ＩＤにより特定される店舗により変更可能である、
請求項３に記載のデータ処理装置。
【請求項５】
前記複数の店舗は、同一の前記商品に対して同一の前記第２商品名を用いる、
請求項２ないし請求項４のいずれかに記載のデータ処理装置。
【請求項６】
複数の店舗が発注可能な複数の商品の第１商品名及び／又は前記複数の店舗が在庫管理可能な複数の商品の第１商品名を含む第１商品名データを記憶する記憶部を備えるデータ処理装置において実行されるデータ処理方法であって、
前記複数の店舗の中から店舗を特定する店舗ＩＤを含む店舗ＩＤデータと前記商品に関連するキーワードを含むキーワードデータとを取得する店舗ＩＤキーワード取得ステップと、
前記記憶部により記憶されている前記第１商品名データ、前記店舗ＩＤキーワード取得ステップにおいて取得した前記店舗ＩＤデータ及び前記店舗ＩＤキーワード取得ステップにおいて取得した前記キーワードデータに基づいて、前記第１商品名データに含まれている前記複数の第１商品名の中から前記キーワードデータに含まれている前記キーワードに関連する前記第１商品名を選択することにより選択商品名データを生成する選択商品名データ生成ステップと、
前記選択商品名データ生成ステップにおいて生成した前記選択商品名データを出力する出力ステップと、
を備えており、
前記選択商品名データ生成ステップは、第１店舗ＩＤを含む前記店舗ＩＤデータ及び第１キーワードを含む前記キーワードデータに基づいて生成した前記選択商品名データと、前記第１店舗ＩＤとは異なる第２店舗ＩＤを含む前記店舗ＩＤデータ及び前記第１キーワードを含む前記キーワードデータに基づいて生成した前記選択商品名データとが異なるように、前記選択商品名データを生成し、
前記データ処理装置は、前記商品を発注する商品発注機能及び／又は前記商品の在庫を管理する商品在庫管理機能を備え、前記複数の店舗により利用される、
データ処理方法。
【請求項７】
第１商品名は、第２商品名及び前記第２商品名とは異なる第３商品名を含んでおり、
前記選択商品名データ生成ステップでは、前記記憶部により記憶されている前記第１商品名データ、前記店舗ＩＤキーワード取得ステップにおいて取得した前記店舗ＩＤデータ及び前記店舗ＩＤキーワード取得ステップにおいて取得した前記キーワードデータに基づいて、前記店舗ＩＤキーワード取得ステップにおいて取得した前記店舗ＩＤデータに含まれる前記店舗ＩＤに関連付けられた前記第２商品名及び／又は前記第３商品名の中から前記キーワードデータに含まれている前記キーワードに関連する前記第２商品名及び／又は前記第３商品名を選択することにより選択商品名データを生成する、
請求項６に記載のデータ処理方法。
【請求項８】
前記記憶部により記憶されている前記第１商品名データに含まれる前記第３商品名が変更可能である、
請求項７に記載のデータ処理方法。
【請求項９】
前記記憶部により記憶されている前記第１商品名データに含まれる前記第２商品名が、前記第３商品名に関連付けられている前記店舗ＩＤにより特定される店舗により変更可能である、
請求項８に記載のデータ処理方法。
【請求項１０】
前記複数の店舗は、同一の前記商品に対して同一の前記第２商品名を用いる、
請求項７ないし請求項９のいずれかに記載のデータ処理方法。
【発明の詳細な説明】
【技術分野】
【０００１】
本発明は、商品発注機能及び／又は商品在庫管理機能を備えるデータ処理装置及びデータ処理方法に関する。
【背景技術】
【０００２】
複数の店舗が利用できる、商品発注機能及び／又は商品在庫管理機能を備えるデータ処理装置及びデータ処理方法が求められている。このようなデータ処理装置が広く普及するために、データ処理装置の利便性の向上が望まれている。【０００３】
ここで、データ処理装置に関連する発明としては、例えば、特許文献１に記載の小売店舗支援処理システムが知られている。この小売店舗支援処理システムでは、共同購買センタを通じて仕入れた商品を管理する流通仕入商品データベースに加え、各小売店舗で独自に仕入れた商品を管理する個別仕入商品データベースが設けられる。個別仕入商品データベースのサーバは、小売店舗毎に設けられている。これにより、小売店舗の競争力の源泉にもなる個別仕入品については、共同購買センタや他店舗に明らかにはせず、個別仕入品の品揃えや仕入値、仕入先等を秘密にできる。このように、特許文献１に記載の小売店舗支援処理システムは、小売店舗支援処理システムの利便性の向上を図っている。
【先行技術文献】
【特許文献】
【０００４】
【特許文献１】特開２００５−１９６３７１号公報
【発明の概要】
【発明が解決しようとする課題】
【０００５】
しかしながら、特許文献１に記載の小売店舗支援処理システムでは、サーバが店舗毎に設けられているため、小売店舗支援処理システムのハードウェア構成が複雑になる。【０００６】
そこで、ハードウェア構成を簡素化でき、かつ、新たな手法により利便性の向上を図ることができるデータ処理装置及びデータ処理方法を提供する。
【課題を解決するための手段】
【０００７】
本発明の一形態に係るデータ処理装置は、
複数の店舗の中から店舗を特定する店舗ＩＤを含む店舗ＩＤデータと商品に関連するキーワードを含むキーワードデータとを取得する店舗ＩＤキーワード取得部と、
前記複数の店舗が発注可能な複数の前記商品の第１商品名及び／又は前記複数の店舗が在庫管理可能な複数の前記商品の第１商品名を含む第１商品名データを記憶する記憶部と、
前記記憶部により記憶されている前記第１商品名データ、前記店舗ＩＤキーワード取得部により取得された前記店舗ＩＤデータ及び前記店舗ＩＤキーワード取得部により取得された前記キーワードデータに基づいて、前記第１商品名データに含まれている前記複数の第１商品名の中から前記キーワードデータに含まれている前記キーワードに関連する前記第１商品名を選択することにより選択商品名データを生成する選択商品名データ生成部と、
前記選択商品名データ生成部が生成した前記選択商品名データを出力する出力部と、
を備えており、
前記選択商品名データ生成部は、第１店舗ＩＤを含む前記店舗ＩＤデータ及び第１キーワードを含む前記キーワードデータに基づいて生成した前記選択商品名データと、前記第１店舗ＩＤとは異なる第２店舗ＩＤを含む前記店舗ＩＤデータ及び前記第１キーワードを含む前記キーワードデータに基づいて生成した前記選択商品名データとが異なるように、前記選択商品名データを生成し、
データ処理装置は、前記商品を発注する商品発注機能及び／又は前記商品の在庫を管理する商品在庫管理機能を備え、前記複数の店舗により利用される。【０００８】
本発明の一形態に係るデータ処理方法は、
複数の店舗が発注可能な複数の商品の第１商品名及び／又は前記複数の店舗が在庫管理可能な複数の商品の第１商品名を含む第１商品名データを記憶する記憶部を備えるデータ処理装置において実行されるデータ処理方法であって、
前記複数の店舗の中から店舗を特定する店舗ＩＤを含む店舗ＩＤデータと前記商品に関連するキーワードを含むキーワードデータとを取得する店舗ＩＤキーワード取得ステップと、
前記記憶部により記憶されている前記第１商品名データ、前記店舗ＩＤキーワード取得ステップにおいて取得した前記店舗ＩＤデータ及び前記店舗ＩＤキーワード取得ステップにおいて取得した前記キーワードデータに基づいて、前記第１商品名データに含まれている前記複数の第１商品名の中から前記キーワードデータに含まれている前記キーワードに関連する前記第１商品名を選択することにより選択商品名データを生成する選択商品名データ生成ステップと、
前記選択商品名データ生成ステップにおいて生成した前記選択商品名データを出力する出力ステップと、
を備えており、
前記選択商品名データ生成ステップは、第１店舗ＩＤを含む前記店舗ＩＤデータ及び第１キーワードを含む前記キーワードデータに基づいて生成した前記選択商品名データと、前記第１店舗ＩＤとは異なる第２店舗ＩＤを含む前記店舗ＩＤデータ及び前記第１キーワードを含む前記キーワードデータに基づいて生成した前記選択商品名データとが異なるように、前記選択商品名データを生成し、
前記データ処理装置は、前記商品を発注する商品発注機能及び／又は前記商品の在庫を管理する商品在庫管理機能を備え、前記複数の店舗により利用される。【０００９】
本明細書で使用される専門用語は、特定の実施例のみを定義する目的で利用されるのであって、前記専門用語によって発明を制限する意図はない。【００１０】
本明細書で使用される「及び／又は」は、一つ又は複数の関連して列挙された構成物のすべての組み合わせを含む。【００１１】
本明細書において、「含む、備える（ｉｎｃｌｕｄｉｎｇ）」「含む、備える（ｃｏｍｐｒｉｓｉｎｇ）」又は「有する（ｈａｖｉｎｇ）」及びそれらの変形の使用は、記載された特徴、工程、要素、成分、及び／又は、それらの等価物の存在を特定するが、ステップ、動作、要素、コンポーネント、及び／又は、それらのグループのうちの一つ又は複数を含むことができる。【００１２】
他に定義されない限り、本明細書で使用される全ての用語（技術用語及び科学用語を含む）は、本発明が属する技術分野の当業者によって一般的に理解される意味と同じ意味を有する。【００１３】
一般的に使用される辞書に定義された用語は、関連する技術及び本開示の文脈における意味と一致する意味を有すると解釈されるべきであり、本明細書で明示的に定義されていない限り、理想的又は過度に形式的な意味で解釈されることはない。【００１４】
本発明の説明においては、いくつもの技術及び工程が開示されていると理解される。これらの各々は、個別の利益を有し、他に開示された技術の一つ以上、又は、場合によっては全てと共に使用することもできる。従って、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。【００１５】
以下の説明では、本発明の完全な理解を提供するために多数の具体的な例を述べる。しかしながら、当業者は、これらの具体的な例がなくても本発明を実施できることが明らかである。【００１６】
よって、以下の開示は、本発明の例示として考慮されるべきであり、本発明を以下の図面又は説明によって示される特定の実施形態に限定することを意図するものではない。
【発明の効果】
【００１７】
本発明によれば、ハードウェア構成を簡素化でき、かつ、新たな手法により利便性の向上を図ることができる。
【図面の簡単な説明】
【００１８】
【図１】図１は、データ処理装置１４の機能ブロック図である。
【図２】図２は、データ処理装置１４ａを備えるデータ処理システム１０の機能ブロック図である。
【図３】図３は、データ処理装置１４ａを備えるデータ処理システム１０のハードウェア構成を示したブロック図である。
【図４】図４は、第１商品名データの一例を示した図である。
【発明を実施するための形態】
【００１９】
（第１の実施形態）
［データ処理装置の構成］
以下に、本発明の第１の実施形態に係るデータ処理装置１４の構成について図面を参照しながら説明する。データ処理方法は、データ処理装置１４において行われる方法である。図１は、データ処理装置１４の機能ブロック図である。
【００２０】
データ処理装置１４は、商品を発注する商品発注機能及び／又は商品の在庫を管理する商品在庫管理機能を備えている。データ処理装置１４は、複数の店舗により利用される。
【００２１】
複数の店舗は、互いに経営が独立している複数の店舗であってもよいし、互いに経営が独立していない複数の店舗であってもよい。ただし、複数の店舗は、互いに経営が独立していることが好ましい。経営が独立する複数の店舗とは、オーナーが異なる複数の店舗を意味する。オーナーが複数の店舗を所有する場合には、複数の店舗を１つの店舗とみなす。オーナーは、１人で店舗を所有していてもよいし、複数人で店舗を所有していてもよい。また、オーナーは、自然人であってもよいし、法人であってもよい。
【００２２】
データ処理装置１４は、店舗ＩＤキーワード取得部３０、記憶部３２、選択商品名データ生成部３４及び出力部３６を備えている。店舗ＩＤキーワード取得部３０は、複数の店舗の中から店舗を特定する店舗ＩＤを含む店舗ＩＤデータと商品に関連するキーワードを含むキーワードデータとを取得する。
【００２３】
店舗ＩＤは、店舗そのものを特定する識別子であってもよいし、店舗に所属するスタッフを特定する識別子であってもよい。スタッフは、例えば、オーナー、販売員、エンジニアである。店舗ＩＤが店舗に所属するスタッフを特定する識別子である場合、スタッフは、所属する店舗と関連付けられている。
【００２４】
キーワードは、商品の正式名称（商品名）ではなく、商品に対して与えられた店舗固有の名称である。商品名は、例えば、数字及びアルファベットの組み合わせである。一方、キーワードは、例えば、商品の特性や外観等に由来する名称であって、ユーザが商品名の代わりに用いる名称である。キーワードは、例えば、数字及びアルファベットの組み合わせである。
【００２５】
データは、純粋なデータだけでなく、計算式、マップ、比較器、基準器なども含む。
【００２６】
記憶部３２は、複数の店舗が発注可能な複数の商品の第１商品名及び／又は複数の店舗が在庫管理可能な複数の商品の第１商品名を含む第１商品名データを記憶する。第１商品名は、例えば、数字及びアルファベットの組み合わせである。第１商品名は、例えば、商品の正式名称である。ただし、第１商品名は、商品の正式名称に限らない。第１商品名は、商品を特定できる名称であればよい。また、第１商品名は、商品に対して与えられた店固有の名称であってもよい。
【００２７】
選択商品名データ生成部３４は、記憶部３２により記憶されている第１商品名データ、店舗ＩＤキーワード取得部３０により取得された店舗ＩＤデータ及び店舗ＩＤキーワード取得部３０により取得されたキーワードデータに基づいて、第１商品名データに含まれている複数の第１商品名の中からキーワードデータに含まれているキーワードに関連する第１商品名を選択することにより選択商品名データを生成する。なお、キーワードに関連する第１商品名が存在しない場合には、選択商品名データ生成部３４は、第１商品名が存在しない内容の選択商品名データを生成する。第１商品名とキーワードとの関連性の有無は、例えば、第１商品名が第２商品名及び第３商品名を含む場合には、第２商品名と、店舗ＩＤと、第２商品名とは異なる第３商品名とが関連付けられた第１商品名データに基づいて判定されてもよい。また、第１商品名とキーワードとの関連性の有無は、例えば、機械学習により判定されてもよい。機械学習により判定される場合には、独立する複数の店舗の店舗ＩＤデータに基づいて過去に生成された選択商品名データを教師データとして利用することが挙げられる。独立する複数の店舗の店舗ＩＤデータに基づいて過去に生成された選択商品名データの全てが教師データとして利用されてもよいし、独立する複数の店舗の店舗ＩＤデータに基づいて過去に生成された選択商品名データの一部が教師データとして利用されてもよい。独立する複数の店舗の店舗ＩＤデータに基づいて過去に生成された選択商品名データの一部が教師データとして利用されるとは、例えば、特定の店舗ＩＤデータに基づいて生成された選択商品名データが教師データとして利用されることである。
【００２８】
ここで、選択商品名データ生成部３４は、第１店舗ＩＤを含む店舗ＩＤデータ及び第１キーワードを含むキーワードデータに基づいて生成した選択商品名データと、第１店舗ＩＤとは異なる第２店舗ＩＤを含む店舗ＩＤデータ及び第１キーワードを含むキーワードデータに基づいて生成した選択商品名データとが異なるように、選択商品名データを生成する。選択商品名データが異なるとは、例えば、選択商品名データ生成部３４により選択される１以上の商品名データが異なることである。また、選択商品名データ生成部３４が複数の第１商品名を並べることにより選択商品名データを生成する場合がある。この場合には、選択商品名データが異なるとは、選択商品名データ生成部３４により選択される複数の第１商品名が同じであり、かつ、選択商品名データ生成部３４により並べられた複数の第１商品名の順番が異なる場合を含む。これにより、店舗固有の選択商品名データが生成される。
【００２９】
なお、選択商品名データ生成部３４は、第１店舗ＩＤを含む店舗ＩＤデータ及び第１キーワードを含むキーワードデータに基づいて生成した選択商品名データと、第１店舗ＩＤとは異なる第２店舗ＩＤを含む店舗ＩＤデータ及び第１キーワードを含むキーワードデータに基づいて生成した選択商品名データとが同じであるように、選択商品名データを生成する場合があってもよいし、なくてもよい。選択商品名データ生成部３４は、第１店舗ＩＤを含む店舗ＩＤデータ及び第１キーワードを含むキーワードデータに基づいて生成した選択商品名データと、第１店舗ＩＤとは異なる第２店舗ＩＤを含む店舗ＩＤデータ及び第１キーワードを含むキーワードデータに基づいて生成した選択商品名データとが異なるように、選択商品名データを生成する場合があればよい。
【００３０】
出力部３６は、選択商品名データ生成部３４が生成した選択商品名データを出力する。
【００３１】
［効果］
データ処理装置１４によれば、データ処理装置１４の利便性を向上させることができる。より詳細には、選択商品名データ生成部３４は、第１店舗ＩＤを含む店舗ＩＤデータ及び第１キーワードを含むキーワードデータに基づいて生成した選択商品名データと、第１店舗ＩＤとは異なる第２店舗ＩＤを含む店舗ＩＤデータ及び第１キーワードを含むキーワードデータに基づいて生成した選択商品名データとが異なるように、選択商品名データを生成する。更に、データ処理装置１４は、商品を発注する商品発注機能及び／又は商品の在庫を管理する商品在庫管理機能を備え、複数の店舗により利用される。これにより、店舗が商品を発注する際及び／又は店舗が商品の在庫を管理する際に、店舗は、キーワードを用いて商品を検索することが可能となる。そして、店舗ＩＤ毎に固有の選択商品名データが得られるようになる。よって、店舗は、店舗に適した商品の選択商品名データを得ることができる。その結果、データ処理装置１４の利便性が向上する。
【００３２】
また、データ処理装置１４は、例えば、複数の店舗毎にサーバを設けるような構成でなくてもよい。その結果、データ処理装置１４のハードウェア構成が簡素化される。ただし、データ処理装置１４は、１台のサーバにより構成されていなくてもよい。例えば、記憶部３２は、店舗ＩＤキーワード取得部３０、選択商品名データ生成部３４及び出力部３６と物理的に離れた位置に設けられていてもよい。また、記憶部３２は、物理的に離れた位置に配置された複数の装置に分離されていてもよい。
【００３３】
また、データ処理装置１４を実施しているか否かの判断は、以下の手順により行うことができる。具体的には、検証者は、端末を用いて、第１店舗ＩＤを含む店舗ＩＤデータ及び第１キーワードを含むキーワードデータをデータ処理装置１４に送信する。応じて、データ処理装置１４は、選択商品名データを生成及び出力する。検証者は、端末を用いて、選択商品名データ（以下、第１選択商品名データと称す）を取得する。次に、検証者は、端末を用いて、第１店舗ＩＤとは異なる第２店舗ＩＤを含む店舗ＩＤデータ及び第１キーワードを含むキーワードデータをデータ処理装置１４に送信する。応じて、データ処理装置１４は、選択商品名データを生成及び出力する。検証者は、端末を用いて、選択商品名データ（以下、第２選択商品名データと称す）を取得する。第１選択商品名データと第２選択商品名データとが異なっていれば、データ処理装置１４が実施されている。
【００３４】
（第２の実施形態）
［データ処理装置の構成］
以下に、本発明の第２の実施形態に係るデータ処理装置１４ａの構成について図面を参照しながら説明する。データ処理方法は、データ処理装置１４ａにおいて行われる方法である。図２は、データ処理装置１４ａを備えるデータ処理システム１０の機能ブロック図である。図３は、データ処理装置１４ａを備えるデータ処理システム１０のハードウェア構成を示したブロック図である。図４は、第１商品名データの一例を示した図である。
【００３５】
データ処理システム１０は、図２に示すように、端末１２及びデータ処理装置１４ａを備えている。データ処理装置１４ａは、商品を発注する商品発注機能及び／又は商品の在庫を管理する商品在庫管理機能を備えている。データ処理装置１４ａは、複数の店舗により利用される。データ処理装置１４ａは、例えば、サーバである。ただし、データ処理装置１４ａは、１つの場所に集約された装置であってもよいし、複数の場所に分散された装置であってもよい。
【００３６】
複数の店舗は、互いに経営が独立している複数の店舗であってもよいし、互いに経営が独立していない複数の店舗であってもよい。ただし、複数の店舗は、互いに経営が独立していることが好ましい。経営が独立する複数の店舗とは、オーナーが異なる複数の店舗を意味する。オーナーが複数の店舗を所有する場合には、複数の店舗を一つの店舗とみなす。オーナーは、１人で店舗を所有していてもよいし、複数人で店舗を所有していてもよい。また、オーナーは、自然人であってもよいし、法人であってもよい。本実施形態では、店舗は、１人乗り又は２人乗りの小型車両のケアを主に行う店舗である。１人乗り又は２人乗り小型車両とは、乗車定員が１人又は２人である車両である。乗車定員は、例えば、車検証や説明書等により確認することができる。
【００３７】
メンテナンスは、リペア及びケアを含む。リペアは、１人乗り又は２人乗りの小型車両の故障の修理及び／又は損傷の修理である。ケアは、メンテナンスの内のリペアを除く作業である。ケアとは、例えば、日常的に行なうことが好ましい作業であり、例えば、空気圧の点検・補充、ブレーキの遊び調整、バッテリの状態確認、クーラントの補充・交換、オイル／オイルフィルターの点検と交換、灯火器類（ヘッドライト、テールライト、方向指示器など）の点検・交換、エアフィルターの点検と清掃・交換等を含む。ケアは、日常的に行なわれるため、費用は安いが頻度が高い作業である。
【００３８】
データ処理装置１４ａは、図３に示すように、データ処理装置制御部１４０、データ処理装置通信部１４２及びデータ処理装置記憶部１４４をハードウェア構成として備えている。データ処理装置制御部１４０は、例えば、ＣＰＵ（Ｃｅｎｔｒａｌ  Ｐｒｏｃｅｓｓｉｎｇ  Ｕｎｉｔ）である。データ処理装置通信部１４２は、データ処理装置１４ａをインターネット回線に接続するための装置である。データ処理装置通信部１４２は、例えば、ルータや光回線終端装置である。データ処理装置記憶部１４４は、例えば、ハードディスク、メモリである。
【００３９】
データ処理装置１４ａは、図２に示すように、店舗ＩＤキーワード取得部３０、記憶部３２、選択商品名データ生成部３４及び出力部３６を備えている。記憶部３２は、複数の１人乗り又は２人乗り小型車両ケア履歴データ（以下、ケア履歴データと称す）を記憶している。記憶部３２は、データ処理装置記憶部１４４である。
【００４０】
ケア履歴データは、ケアの履歴に関するデータである。ケア履歴データは、車両ＩＤデータとケア実施日関連データとが関連付けられたデータである。データは、純粋なデータだけでなく、計算式、マップ、比較器、基準器なども含む。
【００４１】
車両ＩＤは、１人乗り又は２人乗り小型車両を特定するための識別子である。車両ＩＤデータは、車両を特定するために付与された符号であってもよいし、登録番号であってもよいし、車体番号であってもよいし、符号、登録番号及び車体番号を含んでいてもよい。また、車両ＩＤデータは、車種名を更に含んでいてもよい。
【００４２】
ケア実施日関連データとは、ケアを実施したケア実施日に関するデータである。ケア実施日関連データは、ケアを実施したケア実施日であってもよいし、前回にケアを行ってからの経過時間（日数）であってもよい。
【００４３】
複数のケア履歴データに含まれる車両ＩＤデータは、複数種類の車両ＩＤデータを含む。これにより、複数のケア履歴データが存在する。また、同一の車両ＩＤデータを含む複数の車両ケア履歴データに含まれる連続する２つのケア実施日同士の間隔が４ヶ月以下である複数のケア履歴データの数は、同一の車両ＩＤデータを含む複数のケア履歴データに含まれる連続する２つのケア実施日同士の間隔が４ヶ月より長い複数のケア履歴データの数より多い。
【００４４】
「同一の車両ＩＤデータを含む複数の１人乗り又は２人乗り小型車両ケア履歴データに含まれる連続する２つのケア実施日同士の間隔が４ヶ月以下である１人乗り又は２人乗り小型車両ケア履歴データの数は、同一の車両ＩＤデータを含む複数の１人乗り又は２人乗り小型車両ケア履歴データに含まれる連続する２つのケア実施日同士の間隔が４ヶ月より長い１人乗り又は２人乗り小型車両ケア履歴データの数より多い」とは、以下の通りである。同一の車両ＩＤデータを含む複数の１人乗り又は２人乗り小型車両ケア履歴データをケア実施日の順に並べる。このとき、一方のケア実施日から４か月以内の他方のケア実施日が存在する１人乗り又は２人乗り小型車両ケア履歴データの数は、一方のケア実施日から４か月以内の他方のケア実施日が存在しない１人乗り又は２人乗り小型車両ケア履歴データの数より多い。以上のように、「同一の車両ＩＤデータを含む複数の１人乗り又は２人乗り小型車両ケア履歴データに含まれる連続する２つのケア実施日同士の間隔が４ヶ月以下である１人乗り又は２人乗り小型車両ケア履歴データの数は、同一の車両ＩＤデータを含む複数の１人乗り又は２人乗り小型車両ケア履歴データに含まれる連続する２つのケア実施日同士の間隔が４ヶ月より長い１人乗り又は２人乗り小型車両ケア履歴データの数より多い」とは、複数の１人乗り又は２人乗り小型車両ケア履歴データが、短周期（４ヶ月以下の周期）でケアが行われていることを示すケア実施日関連データを含む１人乗り又は２人乗り小型車両ケア履歴データを、長周期（４ヶ月より長い周期）でケアが行われていることを示すケア実施日関連データを含む１人乗り又は２人乗り小型車両ケア履歴データより多く含んでいることを意味する。新車販売及びメンテナンスを行うディーラーは、短周期（４ヶ月以下の周期）でケアが行われていることを示すケア実施日関連データを含む１人乗り又は２人乗り小型車両ケア履歴データを保有していることが少ない。一方、主にケアを行う店舗は、短周期（４ヶ月以下の周期）でケアが行われていることを示すケア実施日関連データを含む１人乗り又は２人乗り小型車両ケア履歴データを保有していることが多い。そのため、複数の１人乗り又は２人乗り小型車両ケア履歴データは、新車販売及びメンテナンスを行うディーラーに関する１人乗り又は２人乗り小型車両ケア履歴データより主にケアを行う店舗に関する１人乗り又は２人乗り小型車両ケア履歴データを多く含んでいる。ディーラーとは、特定のメーカーの新車を販売すると共に、特定のメーカーの車両のメンテナンスを行う店舗である。
【００４５】
なお、本明細書において、「Ａの数がＢの数より多い」とは、Ｂの数が、０であってもよいし、０でなくてもよい。例えば、同一の車両ＩＤデータを含む複数の１人乗り又は２人乗り小型車両ケア履歴データに含まれる連続する２つのケア実施日同士の間隔が４ヶ月以下である１人乗り又は２人乗り小型車両ケア履歴データの数は、同一の車両ＩＤデータを含む複数の１人乗り又は２人乗り小型車両ケア履歴データに含まれる連続する２つのケア実施日同士の間隔が４ヶ月より長い１人乗り又は２人乗り小型車両ケア履歴データの数より多いとは、同一の車両ＩＤデータを含む複数の１人乗り又は２人乗り小型車両ケア履歴データに含まれる連続する２つのケア実施日同士の間隔が４ヶ月より長い１人乗り又は２人乗り小型車両ケア履歴データの数が、０であってもよいし、０でなくてもよい。
【００４６】
端末１２は、店舗が使用する装置である。端末１２は、複数の店舗のそれぞれに配置される。端末１２は、例えば、据え置き型のパーソナルコンピュータ、持ち運び型のパーソナルコンピュータ、スマートフォン、タブレット型コンピュータ等の情報処理装置である。店舗のスタッフは、端末１２を操作して、商品を発注すること、及び／又は、商品の在庫を管理することができる。また、店舗のスタッフは、端末１２を操作して、商品を検索することができる。
【００４７】
店舗のスタッフは、端末１２を操作することにより、キーワードを入力する。これにより、端末１２は、キーワードを含むキーワードデータを取得する。キーワードは、商品の検索のために用いられる文字列である。ユーザは、端末１２に音声によりキーワードを入力してもよいし、端末１２を手で操作することによりキーワードを入力してもよい。
【００４８】
商品は、１人乗り又は２人乗り小型車両のケアに用いられる商品である。１人乗り又は２人乗り小型車両のケアに用いられる商品とは、１人乗り又は２人乗り小型車両の部品である。１人乗り又は２人乗り小型車両のケアに用いられる商品は、例えば、タイヤ、バッテリ、ブレーキシュー、プラグ等の部品の他に、エンジンオイル等の油脂類も含む。
【００４９】
端末１２は、キーワードを含むキーワードデータ及び店舗ＩＤを含む店舗ＩＤデータをデータ処理装置１４ａに送信する。店舗ＩＤは、店舗そのものを特定する識別子であってもよいし、店舗に所属するスタッフを特定する識別子であってもよい。スタッフは、例えば、オーナー、販売員、エンジニアである。店舗ＩＤが店舗に所属するスタッフを特定する識別子である場合、スタッフは、所属する店舗と関連付けられている。キーワードは、商品の正式名称（商品名）ではなく、商品に対して与えられた店舗固有の名称である。商品名は、例えば、数字及びアルファベットの組み合わせである型番である。一方、キーワードは、例えば、商品の特性や外観等に由来する名称であって、ユーザが商品名の代わりに用いる名称である。キーワードは、例えば、数字及びアルファベットの組み合わせである。端末１２とデータ処理装置１４ａとは、通信回線により接続されている。通信回線は、無線であってもよいし、有線であってもよいし、有線及び無線の組み合わせであってもよい。
【００５０】
店舗ＩＤキーワード取得部３０は、複数の店舗の中から店舗を特定する店舗ＩＤを含む店舗ＩＤデータと商品に関連するキーワードを含むキーワードデータとを取得する。店舗ＩＤキーワード取得部３０は、データ処理装置制御部１４０及びデータ処理装置通信部１４２である。
【００５１】
データは、純粋なデータだけでなく、計算式、マップ、比較器、基準器なども含む。
【００５２】
記憶部３２は、複数の店舗が発注可能な複数の商品の第１商品名及び／又は複数の店舗が在庫管理可能な複数の商品の第１商品名を含む第１商品名データを記憶する。本実施形態では、第１商品名は、第２商品名及び第２商品名とは異なる第３商品名を含んでいる。
【００５３】
複数の商品は、１人乗り又は２人乗り小型車両のケアに用いられる。１人乗り又は２人乗り小型車両のケアに用いられる商品とは、１人乗り又は２人乗り小型車両の一部を構成する部品である。１人乗り又は２人乗り小型車両のケアに用いられる商品は、例えば、タイヤ、バッテリ、ブレーキシュー、プラグ等の部品の他に、エンジンオイル等の油脂類も含む。
【００５４】
第１商品名は、第２商品名及び第３商品名の上位概念である。第２商品名は、例えば、商品の正式名称である。そのため、複数の店舗は、同一の商品に対して同一の第２商品名を用いる。ただし、第２商品名は、商品の正式名称に限らない。第２商品名は、商品を特定できる名称であればよい。
【００５５】
第３商品名は、例えば、商品の正式名称（商品名）ではなく、商品に対して与えられた店固有の名称である。第３商品名は、商品の特性や外観等に由来する名称であって、ユーザが第２商品名の代わりに用いる名称である。第１商品名データでは、１つの第２商品名及び１つの店舗ＩＤに対して複数の第３商品名が関連付けられていてもよい。例えば、第２商品名が「ｘｙｚ  エンジンオイルＳＡＥ  １０Ｗ−４０  ９４６ｍｌ」である商品の外観が、青いプラボトルである場合を例に挙げる。この場合、店舗ＩＤが「ａａａ」であるユーザは、「青オイル１０４０」、「プラボトルオイル１０４０」、「プラオイル１０４０」のような店固有の名称で「ｘｙｚ  エンジンオイルＳＡＥ  １０Ｗ−４０  ９４６ｍｌ」である商品を呼ぶ。そこで、「ｘｙｚ  エンジンオイルＳＡＥ  １０Ｗ−４０  ９４６ｍｌ」の第２商品名と、「ａａａ」の店舗ＩＤと、「青オイル１０４０」、「プラボトルオイル１０４０」、「プラオイル１０４０」の第３商品名とが関連付けられている。例えば、「＃青オイル１０４０＃プラボトルオイル１０４０＃プラオイル１０４０」のように「＃」を利用して複数の第３商品名が一つにまとめられていてもよい。
【００５６】
また、記憶部３２により記憶されている第１商品名データに含まれる第３商品名が変更可能である。特に、記憶部３２により記憶されている第１商品名データに含まれる第３商品名が、第３商品名に関連付けられている店舗ＩＤにより特定される店舗により変更可能である。変更可能とは、例えば、新たな第３商品名を追加すること、既存の第３商品名を削除すること、既存の第３商品名を変更することである。
【００５７】
選択商品名データ生成部３４は、記憶部３２により記憶されている第１商品名データ、店舗ＩＤキーワード取得部３０により取得された店舗ＩＤデータ及び店舗ＩＤキーワード取得部３０により取得されたキーワードデータに基づいて、店舗ＩＤキーワード取得部３０により取得された店舗ＩＤデータに含まれる店舗ＩＤに関連付けられた第２商品名及び／又は第３商品名の中からキーワードデータに含まれているキーワードに関連する第２商品名及び／又は第３商品名を選択することにより選択商品名データを生成する。選択商品名データ生成部３４は、データ処理装置制御部１４０である。例えば、店舗ＩＤキーワード取得部３０が「ａａａ」を含む店舗ＩＤデータ及び「青オイル１０４０」を含むキーワードデータを取得した場合、選択商品名データ生成部３４は、「ｘｙｚ  エンジンオイルＳＡＥ  １０Ｗ−４０  ９４６ｍｌ」の第２商品名、及び／又は、「青オイル１０４０」の第３商品名を選択する。また、「ｘｙｚ  エンジンオイルＳＡＥ  １０Ｗ−４０  ９４６ｍｌ」以外に「ａａａ」及び「青オイル１０４０」と関連する第２商品名及び／又は第３商品名が存在する場合には、選択商品名データ生成部３４は、「ｘｙｚ  エンジンオイルＳＡＥ  １０Ｗ−４０  ９４６ｍｌ」以外に「ａａａ」及び「青オイル１０４０」と関連する第２商品名及び／又は第３商品名も選択する。なお、選択商品名データ生成部３４は、「ａａａ」及び「青オイル１０４０」に近似するキーワードと関連する第２商品名及び／第３商品名を更に選択してもよい。また、選択商品名データ生成部３４は、「ａａａ」及び「青オイル１０４０」のキーワードを含む第２商品名及び／第３商品名を更に選択してもよい。
【００５８】
なお、選択商品名データ生成部３４は、複数の第２商品名及び／又は複数の第３商品名を並べた選択商品名データを生成してもよい。複数の第２商品名及び／又は複数の第３商品名の順番は、図４に示す複数の第２商品の順番に従ってもよいし、店舗ＩＤが「ａａａ」であるユーザの検索によりヒットした回数が多い商品名が上位に位置する順番であってもよい。選択商品名データ生成部３４は、第１店舗ＩＤを含む店舗ＩＤデータ及び第１キーワードを含むキーワードデータに基づいて生成した選択商品名データ（第１選択商品名データ）と、第１店舗ＩＤとは異なる第２店舗ＩＤを含む店舗ＩＤデータ及び第１キーワードを含むキーワードデータに基づいて生成した選択商品名データ（第２選択商品名データ）とが異なるように、選択商品名データを生成する。第１選択商品名データと第２選択商品名データとが異なるとは、第１選択商品名データに含まれる第２商品名及び／又は第３商品名と第２選択商品名データに含まれる第２商品名及び／又は第３商品名とが異なる場合、及び、第１選択商品名データに含まれる複数の第２商品名及び／又は複数の第３商品名の順番と第２選択商品名データに含まれる複数の第２商品名及び／又は複数の第３商品名の順番とが異なる場合の両方を含む。これにより、店舗固有の選択商品名データが生成される。
【００５９】
出力部３６は、選択商品名データ生成部３４が生成した選択商品名データを出力する。出力部３６は、データ処理装置制御部１４０及びデータ処理装置通信部１４２である。応じて、端末は、選択商品名データを受信する。これにより、店舗のスタッフは、選択商品名データに含まれる第２商品名及び／又は第３商品名を認識できる。
【００６０】
［効果］
データ処理装置１４ａによれば、データ処理装置１４と同じ理由により、データ処理装置１４ａの利便性を向上させることができる。また、データ処理装置１４ａは、データ処理装置１４と同じ理由により、データ処理装置１４ａのハードウェア構成が簡素化される。
【００６１】
データ処理装置１４ａによれば、以下の理由によっても、データ処理装置１４ａの利便性を向上させることができる。より詳細には、データ処理装置１４ａでは、第１商品名は、第２商品名及び第２商品名とは異なる第３商品名を含んでいる。選択商品名データ生成部３４は、記憶部３２により記憶されている第１商品名データ、店舗ＩＤキーワード取得部３０により取得された店舗ＩＤデータ及び店舗ＩＤキーワード取得部３０により取得されたキーワードデータに基づいて、店舗ＩＤキーワード取得部３０により取得された店舗ＩＤデータに含まれる店舗ＩＤに関連付けられた第２商品名及び／又は第３商品名の中からキーワードデータに含まれているキーワードに関連する第２商品名及び／又は第３商品名を選択することにより選択商品名データを生成する。これにより、キーワードに関連する第２商品名及び／又は第３商品名が選択されるようになる。その結果、商品の検索において第２商品名及び／又は第３商品名が利用されるようになる。以上より、データ処理装置１４ａの利便性を向上させることができる。
【００６２】
データ処理装置１４ａによれば、記憶部３２により記憶されている第１商品名データに含まれる第３商品名が変更可能である。第３商品名に利便性の高い名称を付与することが可能となる。その結果、データ処理装置１４ａの利便性を向上させることができる。
【００６３】
データ処理装置１４ａによれば、記憶部３２により記憶されている第１商品名データに含まれる第３商品名が、第３商品名に関連付けられている店舗ＩＤにより特定される店舗により変更可能である。これにより、店舗は、商品に対して与えられた店固有の名称を第３商品に設定できる。その結果、データ処理装置１４ａの利便性を向上させることができる。
【００６４】
データ処理装置１４ａによれば、記憶部３２により記憶されている第１商品名データに含まれる複数の第２商品名は、複数の第２商品名が同一の商品を示す場合に、複数の店舗の間において共通する。そのため、第２商品名は、商品の正式名称であってもよい。
【００６５】
ところで、インドネシア等の新興国では、１人乗り又は２人乗り小型車両が広く利用されている。１人乗り又は２人乗りの小型車両を普段の移動手段として利用している人の中には、その小型車両を移動手段としてだけではなく財産として考える人が含まれている。そのような人は、移動手段としての機能及び財産としての価値を維持するために、小型車両をできるだけよい状態に維持するためのケアに熱心である。小型車両は、３人以上乗車可能な車両と異なり、小型である。小型車両は、３人以上乗車可能な車両と異なり、乗車が容易であり、利便性が高い。小型車両は、３人以上乗車可能な車両と異なり、使用頻度が高くなる傾向がある。小型車両は、３人以上乗車可能な車両と異なり、高い頻度でケアが求められる。ここでのケアとは、車両の状態を良好に保つための作業であるメンテナンスの内の故障の修理及び損傷の修理であるリペアを除く作業である。ケアとは、例えば、日常的に行うことが好ましい作業であり、例えば、空気圧の点検・補充、ブレーキの遊び調整、バッテリの状態確認、クーラントの補充・交換、オイル／オイルフィルターの点検と交換、灯火器類（ヘッドライト、テールライト、方向指示器など）の点検・交換、エアフィルターの点検と清掃・交換等を含む。ケアは、日常的に高い頻度で行うため、費用が安いほうが好まれる。しかしながら、小型車両を移動手段としてだけではなく財産として考える人にとっては、このようなケアの品質も重要である。そのため、小型車両を移動手段としてだけではなく財産として考える人は、費用と品質を考慮するため、このようなケアをディーラーではないケアを主に行う店舗などで行うことが多い。小型車両を移動手段としてだけではなく財産として考える人は、ケアを主に行う店舗をより誠実に見積り、又は、評価する。このように、小型車両を移動手段としてだけではなく財産として考える人は、特徴的な思考を有している。また、ケアを主に行う店舗のスタッフも、小型車両を移動手段としてだけではなく財産として考える人と日常的に接しているため、小型車両を移動手段としてだけではなく財産として考える人と同様に特徴的な思考を有している。
【００６６】
本願発明者は、ケアを主に行う店舗における商品発注又は商品在庫管理を検討するにあたり、ケアを主に行う店舗において取り扱われる商品について考察した。ケアを主に行う店舗における商品は、ケアを主に行う店舗において整備される１人乗り又は２人乗り小型車両の部品である。ケアを主に行う店舗において整備される１人乗り又は２人乗り小型車両の部品は、数字とアルファベットとが組み合わされた型番で管理される。そのため、ケアを主に行う店舗のスタッフは、型番を見ただけでは、１人乗り又は２人乗り小型車両のいずれの部品を型番が指すのかを判断しにくい場合がある。
【００６７】
一方、ケアを主に行う店舗のスタッフは、前記の通り、特徴的な思考を有する。例えば、商品発注又は商品在庫管理の際に、ケアを主に行う店舗のスタッフに１人乗り又は２人乗り小型車両の部品の型番を適切に入力することを要求することは容易ではない。
【００６８】
そこで、本願発明者は、ケアを主に行う店舗のスタッフによる１人乗り又は２人乗り小型車両の部品の呼び方に着目した。すると、本願発明者は、ケアを主に行う店舗のスタッフが、１人乗り又は２人乗り小型車両の部品に型番ではなく店固有の名称を使用することに気が付いた。そこで、本願発明者は、店固有の名称により１人乗り又は２人乗り小型車両の部品を検索できるようにすれば、データ処理装置の利便性を向上させることができることに思い至った。
【００６９】
また、本願発明者は、ケアを主に行う店舗のスタッフが店固有の名称により１人乗り又は２人乗り小型車両の部品を検索できる構成をデータ処理装置が備えると、以下の理由により、データ処理装置のハードウェア構成がシンプルになることに気が付いた。より詳細には、データ処理装置は、ケアを主に行う店舗の端末から送信されてくる店固有の名称のデータに基づいて、１人乗り又は２人乗り小型車両の部品を選択することにより、検索結果データを作成する。そのため、ケアを主に行う複数の店舗毎にデータ処理装置が設けられていなくてもよい。その結果、データ処理装置のハードウェア構成がシンプルになる。
【００７０】
（その他の実施形態）
本明細書において記載と図示の少なくとも一方がなされた実施形態及び変形例は、本開示の理解を容易にするためのものであって、本開示の思想を限定するものではない。上記の実施形態及び変形例は、その趣旨を逸脱することなく変更・改良され得る。
【００７１】
当該趣旨は、本明細書に開示された実施形態に基づいて当業者によって認識され得る、均等な要素、修正、削除、組み合わせ（例えば、実施形態及び変形例に跨る特徴の組み合わせ）、改良、変更を包含する。特許請求の範囲における限定事項は当該特許請求の範囲で用いられた用語に基づいて広く解釈されるべきであり、本明細書あるいは本願のプロセキューション中に記載された実施形態及び変形例に限定されるべきではない。そのような実施形態及び変形例は非排他的であると解釈されるべきである。例えば、本明細書において、「好ましくは」、「よい」という用語は非排他的なものであって、「好ましいがこれに限定されるものではない」、「よいがこれに限定されるものではない」ということを意味する。
【００７２】
なお、データ処理装置１４ａでは、第１商品名データは、第２商品名と店舗ＩＤと第３商品名とを関連付けたデータである。ただし、第１商品名データは、第２商品名、店舗ＩＤ及び第３商品名以外の項目を含んでいてもよい。第２商品名、店舗ＩＤ及び第３商品名以外の項目は、例えば、第２商品名の商品の在庫数である。この場合、データ処理装置１４ａは、第２商品名の商品の在庫数が少なくなった場合に、店舗の端末１２に通知することができる。また、第２商品名、店舗ＩＤ及び第３商品名に加えて、チェックボックスが設けられてもよい。選択商品名データ生成部３４は、チェックボックスにチェックが入れられた第２商品名及び第３商品名を選択しない、又は、チェックボックスにチェックが入れられた第２商品名及び第３商品名を選択する。
【００７３】
第１商品名データのデータ構造は、図４に示したテーブルに限らない。第１商品名データは、複数のテーブルにより構成されていてもよい。
【００７４】
データ処理装置１４，１４ａは、商品の発注時に商品の販売額の計算及び記録を行うレジスター機能を備えていてもよい。
【００７５】
選択商品名データは、第２商品名を含み、第３商品名を含んでいなくてもよい。この場合、第２商品名は、第１商品名である。また、選択商品名データは、第３商品名を含み、第２商品名を含んでいなくてもよい。この場合、第３商品名は、第１商品名である。そして、店舗は、選択商品名データの第３商品名に対して第２商品名を対応付けてもよい。また、選択商品名データは、第２商品名及び第３商品名を含んでいてもよい。
【００７６】
選択商品名データ生成部３４は、第１商品名及び第１商品名の商品の画像を含む選択商品名データを生成してもよい。また、選択商品名データ生成部３４は、第２商品名及び／又は第３商品名、並びに、第２商品名及び／又は第３商品名の商品を含んでいてもよい。
【符号の説明】
【００７７】
１０：データ処理システム
１２：端末
１４：データ処理装置
１４ａ：データ処理装置
３０：店舗ＩＤキーワード取得部
３２：記憶部
３４：選択商品名データ生成部
３６：出力部
１４０：データ処理装置制御部
１４２：データ処理装置通信部
１４４：データ処理装置記憶部
【要約】
ハードウェア構成を簡素化でき、かつ、新たな手法により利便性の向上を図ることができるデータ処理装置及びデータ処理方法を提供する。
データ処理装置は、商品を発注する商品発注機能及び／又は商品の在庫を管理する商品在庫管理機能を備え、複数の店舗により利用される。データ処理装置は、選択商品名データ生成部を備える。選択商品名データ生成部は、第１店舗ＩＤを含む前記店舗ＩＤデータ及び第１キーワードを含むキーワードデータに基づいて生成した選択商品名データと、第１店舗ＩＤとは異なる第２店舗ＩＤを含む店舗ＩＤデータ及び第１キーワードを含むキーワードデータに基づいて生成した選択商品名データとが異なるように、選択商品名データを生成する。【図１】
0006813722.tif 000002
【図２】
0006813722.tif 000003
【図３】
0006813722.tif 000004
【図４】
0006813722.tif 000005